(57)【要約】【課題】振動が入力されたときに、嵌合筒の内周面が、内筒の外周面に強く押し付けられるのを抑制し、かつ軽量化を図る。【解決手段】振動発生部Ｍおよび振動受部Ｂのうちのいずれか一方に取付けられる外筒１２、および他方に取付けられる内筒１３、並びに、外筒の内周面と内筒の外周面とを連結した本体ゴム１４を備えた防振ブッシュ１１における外筒と、振動発生部および振動受部のうちのいずれか他方と、の間に配設され、弾性変形可能に形成された環状のストッパ部材１であって、内筒に外嵌され、かつ内周金具２５が埋設された嵌合筒２６と、嵌合筒を径方向の外側から囲い、かつ外周金具２７が埋設された外周部２８と、嵌合筒と外周部とを連結する環状の連結部２９と、を備え、外周部に、内筒の中心軸線Ｏに沿う軸方向のうちの外筒１２側に向けて突出するストッパ突起２４が配設され、内周金具および外周金具は、互いに別体となっている。【選択図】図１
2020204332.tif 000002
【特許請求の範囲】
【請求項１】
振動発生部および振動受部のうちのいずれか一方に取付けられる外筒、および他方に取付けられる内筒、並びに、前記外筒の内周面と前記内筒の外周面とを連結した本体ゴムを備えた防振ブッシュにおける前記外筒と、
振動発生部および振動受部のうちのいずれか他方と、の間に配設され、弾性変形可能に形成された環状のストッパ部材であって、
前記内筒に外嵌され、かつ内周金具が埋設された嵌合筒と、
前記嵌合筒を径方向の外側から囲い、かつ外周金具が埋設された外周部と、
前記嵌合筒と前記外周部とを連結する環状の連結部と、を備え、
前記外周部に、前記内筒の中心軸線に沿う軸方向のうちの前記外筒側に向けて突出するストッパ突起が配設され、
前記内周金具および前記外周金具は、互いに別体となっている、ストッパ部材。
【請求項２】
前記連結部の軸方向の大きさは、前記嵌合筒、および前記外周部それぞれの軸方向の大きさより小さい、請求項１に記載のストッパ部材。
【請求項３】
前記内周金具は、筒状に形成されるとともに、軸方向に沿う縦断面視で、軸方向に長く、径方向に短い長方形状を呈する、請求項１または２に記載のストッパ部材。
【請求項４】
前記嵌合筒の内周面は、前記内筒の外周面に当接した当接部と、前記内筒の外周面から径方向の外側に離間した非当接部と、が周方向に交互に配設されて構成されている、請求項１から３のいずれか１項に記載のストッパ部材。
【発明の詳細な説明】
【技術分野】
【０００１】
本発明は、ストッパ部材に関するものである。
【背景技術】
【０００２】
従来から、振動発生部および振動受部のうちのいずれか一方に取付けられる外筒、および他方に取付けられる内筒、並びに、外筒の内周面と内筒の外周面とを連結した本体ゴムを備えた防振ブッシュにおける外筒と、振動発生部および振動受部のうちのいずれか他方と、の間に配設され、弾性変形可能に形成された環状のストッパ部材が知られている。
この種のストッパ部材として、例えば下記特許文献１に示されるような、補強金具が埋設されるとともに、内側に防振ブッシュの内筒が嵌合される構成が知られている。
【先行技術文献】
【特許文献】
【０００３】
【特許文献１】特開２０１８−７１７４９号公報
【発明の概要】
【発明が解決しようとする課題】
【０００４】
しかしながら、前記従来では、振動が入力されたときに、ストッパ部材の内周面が、内筒の外周面に強く押し付けられ、例えばストッパ部材の内周面が摩耗しやすい等の問題があった。
【０００５】
この発明は、このような事情を考慮してなされたもので、振動が入力されたときに、ストッパ部材の内周面が、内筒の外周面に強く押し付けられるのを抑制し、かつ軽量化を図ることができるストッパ部材を提供することを目的とする。
【課題を解決するための手段】
【０００６】
上記課題を解決して、このような目的を達成するために、本発明のストッパ部材は、振動発生部および振動受部のうちのいずれか一方に取付けられる外筒、および他方に取付けられる内筒、並びに、前記外筒の内周面と前記内筒の外周面とを連結した本体ゴムを備えた防振ブッシュにおける前記外筒と、振動発生部および振動受部のうちのいずれか他方と、の間に配設され、弾性変形可能に形成された環状のストッパ部材であって、前記内筒に外嵌され、かつ内周金具が埋設された嵌合筒と、前記嵌合筒を径方向の外側から囲い、かつ外周金具が埋設された外周部と、前記嵌合筒と前記外周部とを連結する環状の連結部と、を備え、前記外周部に、前記内筒の中心軸線に沿う軸方向のうちの前記外筒側に向けて突出するストッパ突起が配設され、前記内周金具および前記外周金具は、互いに別体となっている。
【０００７】
この発明によれば、内筒に外嵌された嵌合筒に、内周金具が埋設されているので、ストッパ部材を内筒に強固に固定することができる。
外周部に、外筒側に向けて突出するストッパ突起が配設されているので、振動が入力され、振動発生部および振動受部のうちのいずれか一方、若しくは防振ブッシュの外筒が、ストッパ突起に衝突したときに、この振動が、ストッパ突起に吸収され振動受部に伝播するのを抑えることができる。
ストッパ突起が配設された外周部に、外周金具が埋設されているので、入力振動に対するストッパ部材の特性を容易かつ精度よくチューニングすることができる。
内周金具および外周金具が、互いに別体となっていて、嵌合筒と外周部とを連結する環状の連結部に金具が埋設されていないので、ストッパ部材の軽量化を図ることができる。
金具が埋設されていない連結部を備えることから、振動が入力され、振動発生部および振動受部のうちのいずれか一方、若しくは防振ブッシュの外筒が、ストッパ部材に衝突したときに生ずる衝撃力を、ストッパ突起だけでなく連結部も弾性変形させることで確実に吸収することが可能になり、嵌合筒の内周面が、内筒の外周面に強く押し付けられるのを抑制することができる。
【０００８】
ここで、前記連結部の軸方向の大きさは、前記嵌合筒、および前記外周部それぞれの軸方向の大きさより小さくてもよい。
【０００９】
この場合、連結部の軸方向の大きさが、嵌合筒、および外周部それぞれの軸方向の大きさより小さいので、前述のように振動が入力されたときに、連結部が確実に弾性変形することとなり、嵌合筒の内周面が、内筒の外周面に強く押し付けられるのを確実に抑制することができる。
【００１０】
また、前記内周金具は、筒状に形成されるとともに、軸方向に沿う縦断面視で、軸方向に長く、径方向に短い長方形状を呈してもよい。
【００１１】
この場合、内周金具が、筒状に形成されるとともに、軸方向に沿う縦断面視で、軸方向に長く、径方向に短い長方形状を呈するので、重量を抑えつつ、ストッパ部材を内筒に強固に固定することができる。
【００１２】
また、前記嵌合筒の内周面は、前記内筒の外周面に当接した当接部と、前記内筒の外周面から径方向の外側に離間した非当接部と、が周方向に交互に配設されて構成されてもよい。
【００１３】
この場合、嵌合筒の内周面が、内筒の外周面に当接した当接部と、内筒の外周面から径方向の外側に離間した非当接部と、が周方向に交互に配設されて構成されているので、ストッパ部材を、防振ブッシュの外筒と、振動発生部および振動受部のうちのいずれか他方と、の間に配設する際に、嵌合筒の内周面が、全周にわたって内筒の外周面に当接する場合と比べて、防振ブッシュの内筒を、嵌合筒の内側に抵抗少なく容易に嵌合することができる。
【発明の効果】
【００１４】
この発明によれば、振動が入力されたときに、嵌合筒の内周面が、内筒の外周面に強く押し付けられるのを抑制し、かつ軽量化を図ることができる。
【図面の簡単な説明】
【００１５】
【図１】本発明に係る一実施形態として示したストッパ部材を有する防振装置の縦断面図である。
【図２】図１のＩＩ−ＩＩ線矢視断面図である。
【図３】本発明に係る変形例のストッパ部材の縦断面図である。
【発明を実施するための形態】
【００１６】
以下、本発明に係る一実施形態のストッパ部材１を備えた防振装置１０を、図１および図２を参照しながら説明する。
防振装置１０は、ストッパ部材１、および防振ブッシュ１１を備えている。
【００１７】
防振ブッシュ１１は、振動発生部Ｍおよび振動受部Ｂのうちのいずれか一方に取付けられる外筒１２、および他方に取付けられる内筒１３と、外筒１２の内周面と内筒１３の外周面とを連結した本体ゴム１４と、を備えている。
例えば、振動発生部Ｍとして、サスペンションメンバー等が挙げられ、振動受部Ｂとして、車体フレーム等が挙げられ、防振ブッシュ１１として、サスペンションメンバーと車体フレームとを連結するメンバーマウント等が挙げられる。
【００１８】
図示の例では、振動受部Ｂに差込凹部Ｂ１が形成されており、この差込凹部Ｂ１に、振動発生部Ｍの一部が差し込まれ、かつ防振ブッシュ１１が収容されている。
外筒１２は、振動発生部Ｍのうち、差込凹部Ｂ１に差し込まれた部分に形成された装着孔に嵌合され、振動発生部Ｍに連結されている。内筒１３は、外筒１２の内側に挿入されている。
【００１９】
外筒１２および内筒１３は、共通軸と同軸に配設されている。以下、この共通軸を中心軸線Ｏといい、中心軸線Ｏに沿う軸方向から見て、中心軸線Ｏに交差する方向を径方向といい、中心軸線Ｏ回りに周回する方向を周方向という。
外筒１２における軸方向の一端部に、径方向の外側に向けて突出し、全周にわたって連続して延びるフランジ部１２ａが形成されている。
以下、軸方向の一端部側を上側といい、軸方向の他端部側を下側という。
【００２０】
フランジ部１２ａの下面は、振動発生部Ｍの上面における装着孔の開口周縁部に配置されている。
フランジ部１２ａの上面に、ストッパゴム１５が配設されている。ストッパゴム１５は、本体ゴム１４と一体に形成されている。ストッパゴム１５は、周方向の全域にわたって連続して延びる環状に形成されている。なお、ストッパゴム１５は、周方向に断続的に点在、若しくは延在してもよい。
【００２１】
内筒１３は、外筒１２における軸方向の両端開口から突出している。内筒１３における軸方向の両端開口縁は、振動受部Ｂの差込凹部Ｂ１を画成する壁面のうち、上端に位置する上壁ｂ１の下面、および下端に位置する下壁ｂ２の上面に各別に当接している。これらの上壁ｂ１および下壁ｂ２に、差込凹部Ｂ１に開口する貫通孔が形成されており、これらの貫通孔、および内筒１３の内側に一体に頭部付きボルト１６が、上方から挿通され、このボルト１６のうち、下壁ｂ２から下方に突出した部分に、ナット１９が螺着されることにより、内筒１３が振動受部Ｂに連結されている。
上壁ｂ１の下面に、ストッパゴム１５が当接、若しくは近接している。
【００２２】
ストッパ部材１は、防振ブッシュ１１と別体とされ、防振ブッシュ１１の外筒１２と振動受部Ｂとの間に配設され、弾性変形可能に環状に形成されている。ストッパ部材１は、振動発生部Ｍの下面と、振動受部Ｂの下壁ｂ２の上面と、の間に配設されている。ストッパ部材１は、振動受部Ｂの下壁ｂ２の上面に配設されている。ストッパ部材１は、中心軸線Ｏと同軸に配設されている。
なお、ストッパ部材１は、振動発生部Ｍの上面と、振動受部Ｂの上壁ｂ１の下面と、の間、振動発生部Ｍ、若しくは外筒１２に配設されてもよい。
【００２３】
そして、本実施形態では、ストッパ部材１は、嵌合筒２６、外周部２８、および連結部２９を備えている。
【００２４】
嵌合筒２６は、筒状に形成され、内筒１３に外嵌されている。嵌合筒２６の下端開口縁は、振動受部Ｂの下壁ｂ２の上面に当接している。嵌合筒２６の内周面は、内筒１３の外周面に当接した当接部２１と、内筒１３の外周面から径方向の外側に離間した非当接部２２と、が周方向に交互に配設されて構成されている。
当接部２１および非当接部２２それぞれの周方向の大きさは、互いに同等になっている。当接部２１および非当接部２２はそれぞれ、３つ以上配設されている。軸方向から見て、当接部２１は扇形形状を呈し、非当接部２２は矩形状を呈する。なお、軸方向から見た当接部２１および非当接部２２の各形状は適宜変更してもよい。
嵌合筒２６に、内周金具２５が埋設されている。内周金具２５は、周方向の全域にわたって連続して延びる筒状に形成されている。内周金具２５、および嵌合筒２６は、軸方向に沿う縦断面視で、軸方向に長く、径方向に短い長方形状を呈する。内周金具２５、および嵌合筒２６は、軸方向の全長にわたって真直ぐ延びている。
【００２５】
外周部２８は、振動受部Ｂの下壁ｂ２の上面において、振動発生部Ｍの下面と軸方向で対向する部分に配置され、嵌合筒２６を径方向の外側から囲っている。
外周部２８に、外周金具２７が埋設されている。外周金具２７は、周方向の全域にわたって連続して延びる環状に形成されている。外周金具２７、および外周部２８は、軸方向に沿う縦断面視で、径方向に長く、軸方向に短い長方形状を呈する。
【００２６】
外周部２８に、上方（軸方向のうちの外筒１２側）に向けて突出するストッパ突起２４が配設されている。ストッパ突起２４は、外周部２８と一体に形成されている。ストッパ突起２４は、周方向に沿って延びる湾曲した直方体状に形成されている。ストッパ突起２４は、上方に向かうに従い、径方向の大きさが小さくなっている。ストッパ突起２４は、軸方向に沿う縦断面視で台形状を呈する。
ストッパ突起２４は、周方向に間隔をあけて複数配設されている。ストッパ突起２４は、周方向に同等の間隔をあけて３つ以上配設されている。ストッパ突起２４は、外周部２８における径方向の全域にわたって配設されている。
【００２７】
図示の例では、ストッパ突起２４の上面が、振動発生部Ｍの下面に当接している。これにより、振動が入力されたときに、振動発生部Ｍが、ストッパ部材１のストッパ突起２４に衝突する。
なお、ストッパ突起２４の上面を、振動発生部Ｍの下面から下方に離してもよく、また、ストッパ突起２４の上面を、外筒１２に当接させ、振動が入力されたときに、外筒１２が、ストッパ突起２４に衝突してもよい。
【００２８】
連結部２９は、嵌合筒２６と外周部２８とを連結し、環状に形成されている。連結部２９の軸方向の大きさは、嵌合筒２６、および外周部２８それぞれの軸方向の大きさより小さくなっている。連結部２９の下面は、振動受部Ｂの下壁ｂ２の上面から上方に離れている。連結部２９は、内周金具２５および外周金具２７と径方向で重複する位置に配設されている。
連結部２９は、軸方向に沿う縦断面視で、径方向に長く、軸方向に短い長方形状を呈する。連結部２９の径方向の幅Ｘは、嵌合筒２６の径方向の厚さＹ、および外周部２８の径方向の幅Ｚより大きくなっている。内周金具２５および外周金具２７は、互いに別体となっており、連結部２９に金具が埋設されていない。
【００２９】
以上説明したように、本実施形態によるストッパ部材１によれば、内筒１３に外嵌された嵌合筒２６に、内周金具２５が埋設されているので、ストッパ部材１を内筒１３に強固に固定することができる。
外周部２８に、上方に向けて突出するストッパ突起２４が配設されているので、振動が入力され、振動発生部Ｍがストッパ突起２４に衝突したときに、この振動が、ストッパ突起２４に吸収され振動受部Ｂに伝播するのを抑えることができる。
ストッパ突起２４が配設された外周部２８に、外周金具２７が埋設されているので、入力振動に対するストッパ部材１の特性を容易かつ精度よくチューニングすることができる。
【００３０】
内周金具２５および外周金具２７が、互いに別体となっていて、嵌合筒２６と外周部２８とを連結する環状の連結部２９に金具が埋設されていないので、ストッパ部材１の軽量化を図ることができる。
金具が埋設されていない連結部２９を備えることから、振動が入力され、振動発生部Ｍがストッパ部材１に衝突したときに生ずる衝撃力を、ストッパ突起２４だけでなく連結部２９も弾性変形させることで確実に吸収することが可能になり、嵌合筒２６の内周面が、内筒１３の外周面に強く押し付けられるのを抑制することができる。
【００３１】
連結部２９の軸方向の大きさが、嵌合筒２６、および外周部２８それぞれの軸方向の大きさより小さいので、前述のように振動が入力されたときに、連結部２９が確実に弾性変形することとなり、嵌合筒２６の内周面が、内筒１３の外周面に強く押し付けられるのを確実に抑制することができる。
【００３２】
内周金具２５が、筒状に形成されるとともに、軸方向に沿う縦断面視で、軸方向に長く、径方向に短い長方形状を呈するので、重量を抑えつつ、ストッパ部材１を内筒１３に強固に固定することができる。
【００３３】
嵌合筒２６の内周面が、内筒１３の外周面に当接した当接部２１と、内筒１３の外周面から径方向の外側に離間した非当接部２２と、が周方向に交互に配設されて構成されているので、ストッパ部材１を、防振ブッシュ１１の外筒１２と振動受部Ｂとの間に配設する際に、嵌合筒２６の内周面が、全周にわたって内筒１３の外周面に当接する場合と比べて、防振ブッシュ１１の内筒１３を、嵌合筒２６の内側に抵抗少なく容易に嵌合することができる。
【００３４】
なお、本発明の技術範囲は、前述した各実施形態に限定されるものではなく、本発明の趣旨を逸脱しない範囲において種々の変更を加えることが可能である。
【００３５】
例えば、前記実施形態では、外筒１２が振動発生部Ｍに連結され、内筒１３が振動受部Ｂに連結された構成を示したが、外筒１２を振動受部Ｂに連結し、内筒１３を振動発生部Ｍに連結してもよい。
嵌合筒２６の内周面を、全周にわたって内筒１３の外周面に当接させてもよい。
内周金具２５および外周金具２７は、周方向に断続的に点在、若しくは延在してもよい。
連結部２９の軸方向の大きさを、嵌合筒２６、および外周部２８それぞれの軸方向の大きさ以上としてもよく、連結部２９の径方向の幅Ｘを、嵌合筒２６の径方向の厚さＹ、および外周部２８の径方向の幅Ｚ以下としてもよい。
【００３６】
前記実施形態では、内周金具２５、および嵌合筒２６が、軸方向の全長にわたって真直ぐ延びる構成を示したが、これに限らず例えば、図３に示されるように、内周金具２５、および嵌合筒２６それぞれの上部が、上方に向かうに従い、径方向の外側に向けて延びてもよい。
このストッパ部材２では、防振ブッシュ１１の外筒１２と、振動発生部Ｍおよび振動受部Ｂのうちのいずれか他方と、の間に配設する際に、防振ブッシュ１１の内筒１３を、嵌合筒２６の内側に容易に嵌合することができる。
図示の例では、内周金具２５、および嵌合筒２６それぞれの下部は、軸方向に真直ぐ延びており、この下部に連結部２９が連結されている。
【００３７】
その他、本発明の趣旨を逸脱しない範囲で、上記した実施の形態における構成要素を周知の構成要素に置き換えることは適宜可能であり、また、上記した変形例を適宜組み合わせてもよい。
【符号の説明】
【００３８】
１、２  ストッパ部材
１１  防振ブッシュ
１２  外筒
１３  内筒
１４  本体ゴム
２１  当接部
２２  非当接部
２４  ストッパ突起
２５  内周金具
２６  嵌合筒
２７  外周金具
２８  外周部
２９  連結部
Ｂ  振動受部
Ｍ  振動発生部
Ｏ  中心軸線
【図１】
2020204332.tif 000003
【図２】
2020204332.tif 000004
【図３】
2020204332.tif 000005